【手続補正書】
【提出日】平成20年4月8日(2008.4.8)
【手続補正１】
【補正対象書類名】明細書
【補正対象項目名】特許請求の範囲
【補正方法】変更
【補正の内容】
【特許請求の範囲】
【請求項１】  表層に熱可塑性樹脂粒子を含むインク受容層と、該インク受容層の内側に隣接した顔料インク溶媒吸収層とを有する記録媒体に対し、インクを吐出して記録を行なう記録ヘッドと、該記録ヘッドにより記録された前記記録媒体に対し、該記録媒体のインク受容層を透明化するための処理を施す処理手段と、前記記録ヘッドにより記録された前記記録媒体を前記処理手段まで搬送する搬送手段とを有するインクジェット記録装置であって、前記記録媒体のインク受容層を透明化するための処理を施す処理手段は、加熱手段を具備する加熱ローラと、前記加熱ローラに対向して設けられた加圧ローラと、前記加熱ローラと従動ローラに懸架された加熱ベルトとを有することを特徴とするインクジェット記録装置。
【請求項２】  前記加熱ベルトは無端ベルトであり、且つ表面粗さが０．０１μｍ〜０．５μｍであることを特徴とする請求項１記載のインクジェット記録装置。
【請求項３】  前記加圧ローラの記録媒体の搬送方向下流位置に設けられ前記記録媒体を押圧する押圧手段を有することを特徴とする請求項１又は請求項２記載のインクジェット記録装置。
【請求項４】  前記押圧手段は、板状部材であることを特徴とする請求項３記載のインクジェット記録装置。
【請求項５】  表層に熱可塑性樹脂粒子を含むインク受容層と、該インク受容層の内側に隣接した顔料インク溶媒吸収層とを有する記録媒体に対し、インクを吐出して記録を行なう記録ヘッドと、該記録ヘッドにより記録された前記記録媒体に対し、該記録媒体のインク受容層を透明化するための処理を施す処理手段と、前記記録ヘッドにより記録された前記記録媒体を前記処理手段まで搬送する搬送手段とを有するインクジェット記録装置であって、前記記録媒体のインク受容層を透明化するための処理を施す処理手段は、加熱手段を具備する加熱ローラと、前記加熱ローラに対向して設けられた加圧ローラと、前記加熱ローラ及び加圧ローラにそれぞれ対応する少なくとも１以上の従動ローラと、前記加熱ローラ及び従動ローラに懸架された加熱ベルトと、前記加圧ローラ及び従動ローラに懸架された前記記録媒体を押圧する加圧ベルトとを有することを特徴とするインクジェット記録装置。
【請求項６】  前記加熱ベルトと前記加圧ベルトは、互いに接触していることを特徴とする請求項５記載のインクジェット記録装置。
【請求項７】  前記加熱ベルトと前記加圧ベルトは、一方に突起部を有し、もう一方に前記突起部と係合する穴部を有することを特徴とする請求項５記載のインクジェット記録装置。
【請求項８】  前記加熱ベルトと前記加圧ベルトは、共に、その表面粗さが０．０１μｍ〜０．５μｍであることを特徴とする請求項５記載のインクジェット記録装置。
【請求項９】  前記記録媒体のインク受容層を透明化するための処理を施す処理手段は、前記加熱ベルトの温度を検出する温度センサを有することを特徴とする請求項１又は請求項５記載のインクジェット記録装置。
【請求項１０】  前記記録媒体のインク受容層を透明化するための処理を施す処理手段は、前記加熱ベルト及び前記加圧ベルトの反射率を計測する計測手段を有することを特徴とする請求項１又は請求項５記載のインクジェット記録装置。
【請求項１１】  前記加熱ベルト及び前記加圧ベルトの反射率を計測する計測手段は、該計測手段により得られた値と基準値を比較し、比較結果に応じて報知する手段を有することを特徴とする請求項１０記載のインクジェット記録装置。
【請求項１２】  前記反射率を計測する計測手段は、移動可能であることを特徴とする請求項１０記載のインクジェット記録装置。
【請求項１３】  前記記録媒体のインク受容層を透明化するための処理を施す処理手段は、前記加熱ローラ及び加圧ローラの、記録媒体の搬送方向上流側に、記録媒体検知センサを有し、該記録媒体検知センサの出力に応じて、前記加熱ローラ及び加圧ローラ間の押圧力を制御する手段を有することを特徴とする請求項１又は請求項５記載のインクジェット記録装置。
【請求項１４】  前記記録媒体のインク受容層を透明化するための処理を施す処理手段は、該処理手段による処理直後の記録媒体の内部温度をガラス転移点Ｔｇ以下にするため、加熱ローラの記録媒体搬送方向下流に冷却手段を有することを特徴とする請求項１又は請求項５記載のインクジェット記録装置。
【請求項１５】  前記冷却手段は、前記加熱ベルトの温度検出手段を有し、前記温度検出手段の出力に応じて、前記加熱ベルトの冷却の程度を制御することを特徴とする請求項１４記載のインクジェット記録装置。
【請求項１６】  前記冷却手段は、ファン等による空冷によることを特徴とする請求項１４記載のインクジェット記録装置。
【請求項１７】  前記冷却手段は、内部に冷却用空気を循環させた中空のローラによることを特徴とする請求項１４記載のインクジェット記録装置。
【請求項１８】  前記冷却手段は、ペルチェ素子及び放熱板によることを特徴とする請求項１４記載のインクジェット記録装置。
【請求項１９】  前記放熱板は前記加熱ベルトより十分に離れていることを特徴とする請求項１８記載のインクジェット記録装置。
【請求項２０】  前記冷却手段は、前記ペルチェ素子が吸熱した熱を、前記加熱ローラに供給する手段を有することを特徴とする請求項１８記載のインクジェット記録装置。
【請求項２１】  前記加熱ローラが金属ローラであり、且つ前記加圧ローラがゴムローラであることを特徴とする請求項１記載のインクジェット記録装置。
【請求項２２】  前記加圧ローラ表面に被覆されるゴムの厚さが５ｍｍ以下であることを特徴とする請求項２１記載のインクジェット記録装置。
【請求項２３】  前記加熱ローラ及び加圧ローラが金属ローラであり、且つ前記加熱ベルトは、表面がゴムにより被覆されていることを特徴とする請求項１又は請求項５記載のインクジェット記録装置。
【請求項２４】  前記加熱ベルトは、その両端部にゴム非被覆部分を設けていることを特徴とする請求項２３記載のインクジェット記録装置。
【請求項２５】  前記記録媒体のインク受容層を透明化するための処理を施す処理手段は、加熱ベルト表面に付着したインク汚れを除去するクリーニング手段を有することを特徴とする請求項１記載のインクジェット記録装置。
【請求項２６】  前記記録媒体のインク受容層を透明化するための処理を施す処理手段は、加熱ベルト及び加圧ベルト表面に付着したインク汚れを除去するクリーニング手段を有することを特徴とする請求項５記載のインクジェット記録装置。
【請求項２７】  前記加熱ローラ及び従動ローラ間に懸架された加熱ベルトの内側部には、補助加熱手段が設けられていることを特徴とする請求項１又は請求項５記載のインクジェット記録装置。
【手続補正２】
【補正対象書類名】明細書
【補正対象項目名】０００７
【補正方法】変更
【補正の内容】
【０００７】
【課題を解決するための手段】
上記課題を解決するために、請求項１記載の発明は、表層に熱可塑性樹脂粒子を含むインク受容層と、該インク受容層の内側に隣接した顔料インク溶媒吸収層とを有する記録媒体に対し、インクを吐出して記録を行なう記録ヘッドと、該記録ヘッドにより記録された前記記録媒体に対し、該記録媒体のインク受容層を透明化するための処理を施す処理手段と、前記記録ヘッドにより記録された前記記録媒体を前記処理手段まで搬送する搬送手段とを有するインクジェット記録装置であって、前記記録媒体のインク受容層を透明化するための処理を施す処理手段は、加熱手段を具備する加熱ローラと、前記加熱ローラに対向して設けられた加圧ローラと、前記加熱ローラと従動ローラに懸架された加熱ベルトとを有することを特徴とする。
【手続補正３】
【補正対象書類名】明細書
【補正対象項目名】００１１
【補正方法】変更
【補正の内容】
【００１１】
上記課題を解決するために、請求項３記載の発明は、請求項１又は請求項２記載のインクジェット記録装置であって、前記加圧ローラの記録媒体の搬送方向下流位置に設けられ前記記録媒体を押圧する押圧手段を有することを特徴とする。
上記課題を解決するために、請求項４記載の発明は、請求項３記載のインクジェット記録装置であって、前記押圧手段は、板状部材であることを特徴とする。
【手続補正４】
【補正対象書類名】明細書
【補正対象項目名】００１３
【補正方法】変更
【補正の内容】
【００１３】
上記課題を解決するために、請求項５記載の発明は、表層に熱可塑性樹脂粒子を含むインク受容層と、該インク受容層の内側に隣接した顔料インク溶媒吸収層とを有する記録媒体に対し、インクを吐出して記録を行なう記録ヘッドと、該記録ヘッドにより記録された前記記録媒体に対し、該記録媒体のインク受容層を透明化するための処理を施す処理手段と、前記記録ヘッドにより記録された前記記録媒体を前記処理手段まで搬送する搬送手段とを有するインクジェット記録装置であって、前記記録媒体のインク受容層を透明化するための処理を施す処理手段は、加熱手段を具備する加熱ローラと、前記加熱ローラに対向して設けられた加圧ローラと、前記加熱ローラ及び加圧ローラにそれぞれ対応する少なくとも１以上の従動ローラと、前記加熱ローラ及び従動ローラに懸架された加熱ベルトと、前記加圧ローラ及び従動ローラに懸架された前記記録媒体を押圧する加圧ベルトとを有することを特徴とする。
【手続補正５】
【補正対象書類名】明細書
【補正対象項目名】００１５
【補正方法】変更
【補正の内容】
【００１５】
上記課題を解決するために、請求項６記載の発明は、請求項５記載のインクジェット記録装置であって、前記加熱ベルトと前記加圧ベルトは、互いに接触していることを特徴とする。
【手続補正６】
【補正対象書類名】明細書
【補正対象項目名】００１７
【補正方法】変更
【補正の内容】
【００１７】
上記課題を解決するために、請求項７記載の発明は、請求項５記載のインクジェット記録装置であって、前記加熱ベルトと前記加圧ベルトは、一方に突起部を有し、もう一方に前記突起部と係合する穴部を有することを特徴とする。
【手続補正７】
【補正対象書類名】明細書
【補正対象項目名】００１９
【補正方法】変更
【補正の内容】
【００１９】
上記課題を解決するために、請求項８記載の発明は、請求項５記載のインクジェット記録装置であって、前記加熱ベルトと前記加圧ベルトは、共に、その表面粗さが０．０１μｍ〜０．５μｍであることを特徴とする。
【手続補正８】
【補正対象書類名】明細書
【補正対象項目名】００２１
【補正方法】変更
【補正の内容】
【００２１】
上記課題を解決するために、請求項９記載の発明は、請求項１及び請求項５記載のインクジェット記録装置であって、前記記録媒体のインク受容層を透明化するための処理を施す処理手段は、前記加熱ベルトの温度を検出する温度センサを有することを特徴とする。
【手続補正９】
【補正対象書類名】明細書
【補正対象項目名】００２３
【補正方法】変更
【補正の内容】
【００２３】
上記課題を解決するために、請求項１０記載の発明は、請求項１又は請求項５記載のインクジェット記録装置であって、前記記録媒体のインク受容層を透明化するための処理を施す処理手段は、前記加熱ベルト及び前記加圧ベルトの反射率を計測する計測手段を有することを特徴とする。
【手続補正１０】
【補正対象書類名】明細書
【補正対象項目名】００２５
【補正方法】変更
【補正の内容】
【００２５】
上記課題を解決するために、請求項１１記載の発明は、請求項１０記載のインクジェット記録装置であって、前記加熱ベルト及び前記加圧ベルトの反射率を計測する計測手段は、該計測手段により得られた値と基準値を比較し、比較結果に応じて報知する手段を有することを特徴とする。
【手続補正１１】
【補正対象書類名】明細書
【補正対象項目名】００２７
【補正方法】変更
【補正の内容】
【００２７】
上記課題を解決するために、請求項１２記載の発明は、請求項１０記載のインクジェット記録装置であって、前記反射率を計測する計測手段は、移動可能であることを特徴とする
【手続補正１２】
【補正対象書類名】明細書
【補正対象項目名】００２９
【補正方法】変更
【補正の内容】
【００２９】
上記課題を解決するために、請求項１３記載の発明は、請求項１又は請求項５記載のインクジェット記録装置であって、前記記録媒体のインク受容層を透明化するための処理を施す処理手段は、前記加熱ローラ及び加圧ローラの、記録媒体の搬送方向上流側に、記録媒体検知センサを有し、該記録媒体検知センサの出力に応じて、前記加熱ローラ及び加圧ローラ間の押圧力を制御する手段を有することを特徴とする。
【手続補正１３】
【補正対象書類名】明細書
【補正対象項目名】００３１
【補正方法】変更
【補正の内容】
【００３１】
上記課題を解決するために、請求項１４記載の発明は、請求項１又は請求項５記載のインクジェット記録装置であって、前記記録媒体のインク受容層を透明化するための処理を施す処理手段は、該処理手段による処理直後の記録媒体の内部温度をガラス転移点Ｔｇ以下にするため、加熱ローラの記録媒体搬送方向下流に冷却手段を有することを特徴とする。
【手続補正１４】
【補正対象書類名】明細書
【補正対象項目名】００３３
【補正方法】変更
【補正の内容】
【００３３】
上記課題を解決するために、請求項１５記載の発明は、請求項１４記載のインクジェット記録装置であって、前記冷却手段は、前記加熱ベルトの温度検出手段を有し、前記温度検出手段の出力に応じて、前記加熱ベルトの冷却の程度を制御することを特徴とする。
【手続補正１５】
【補正対象書類名】明細書
【補正対象項目名】００３５
【補正方法】変更
【補正の内容】
【００３５】
上記課題を解決するために、請求項１６記載の発明は、請求項１４記載のインクジェット記録装置であって、前記冷却手段は、ファン等による空冷によることを特徴とする。
【手続補正１６】
【補正対象書類名】明細書
【補正対象項目名】００３７
【補正方法】変更
【補正の内容】
【００３７】
上記課題を解決するために、請求項１７記載の発明は、請求項１４記載のインクジェット記録装置であって、前記冷却手段は、内部に冷却用空気を循環させた中空のローラによることを特徴とする。
【手続補正１７】
【補正対象書類名】明細書
【補正対象項目名】００３９
【補正方法】変更
【補正の内容】
【００３９】
上記課題を解決するために、請求項１８記載の発明は、請求項１４記載のインクジェット記録装置であって、前記冷却手段は、ペルチェ素子及び放熱板によることを特徴とする。
【手続補正１８】
【補正対象書類名】明細書
【補正対象項目名】００４１
【補正方法】変更
【補正の内容】
【００４１】
上記課題を解決するために、請求項１９記載の発明は、請求項１８記載のインクジェット記録装置であって、前記放熱板は前記加熱ベルトより十分に離れていることを特徴とする。
【手続補正１９】
【補正対象書類名】明細書
【補正対象項目名】００４３
【補正方法】変更
【補正の内容】
【００４３】
上記課題を解決するために、請求項２０記載の発明は、請求項１８記載のインクジェット記録装置であって、前記冷却手段は、前記ペルチェ素子が吸熱した熱を、前記加熱ローラに供給する手段を有することを特徴とする。
【手続補正２０】
【補正対象書類名】明細書
【補正対象項目名】００４５
【補正方法】変更
【補正の内容】
【００４５】
上記課題を解決するために、請求項２１記載の発明は、請求項１記載のインクジェット記録装置であって、前記加熱ローラが金属ローラであり、且つ前記加圧ローラがゴムローラであることを特徴とする。
【手続補正２１】
【補正対象書類名】明細書
【補正対象項目名】００４７
【補正方法】変更
【補正の内容】
【００４７】
上記課題を解決するために、請求項２２記載の発明は、請求項２１記載のインクジェット記録装置であって、前記加圧ローラ表面に被覆されるゴムの厚さが５ｍｍ以下であることを特徴とする。
【手続補正２２】
【補正対象書類名】明細書
【補正対象項目名】００４９
【補正方法】変更
【補正の内容】
【００４９】
上記課題を解決するために、請求項２３記載の発明は、請求項１又は請求項５記載のインクジェット記録装置であって、前記加熱ローラ及び加圧ローラが金属ローラであり、且つ前記加熱ベルトは、表面がゴムにより被覆されていることを特徴とする。
【手続補正２３】
【補正対象書類名】明細書
【補正対象項目名】００５１
【補正方法】変更
【補正の内容】
【００５１】
上記課題を解決するために、請求項２４記載の発明は、請求項２３記載のインクジェット記録装置であって、前記加熱ベルトは、その両端部にゴム非被覆部分を設けていることを特徴とする。
【手続補正２４】
【補正対象書類名】明細書
【補正対象項目名】００５３
【補正方法】変更
【補正の内容】
【００５３】
上記課題を解決するために、請求項２５記載の発明は、請求項１記載のインクジェット記録装置であって、前記記録媒体のインク受容層を透明化するための処理を施す処理手段は、加熱ベルト表面に付着したインク汚れを除去するクリーニング手段を有することを特徴とする。
【手続補正２５】
【補正対象書類名】明細書
【補正対象項目名】００５５
【補正方法】変更
【補正の内容】
【００５５】
上記課題を解決するために、請求項２６記載の発明は、請求項５記載のインクジェット記録装置であって、前記記録媒体のインク受容層を透明化するための処理を施す処理手段は、加熱ベルト及び加圧ベルト表面に付着したインク汚れを除去するクリーニング手段を有することを特徴とする。
【手続補正２６】
【補正対象書類名】明細書
【補正対象項目名】００５７
【補正方法】変更
【補正の内容】
【００５７】
上記課題を解決するために、請求項２７記載の発明は、請求項１又は請求項５記載のインクジェット記録装置であって、前記加熱ローラ及び従動ローラ間に懸架された加熱ベルトの内側部には、補助加熱手段が設けられていることを特徴とする。
【手続補正２７】
【補正対象書類名】明細書
【補正対象項目名】００９４
【補正方法】変更
【補正の内容】
【００９４】
［第２の実施例］
図１０は、本発明の請求項５にかかるインクジェット記録装置の概略構成図である。本発明であるインクジェット記録装置は、記録媒体１を搬送する手段である記録媒体搬送手段２と、記録媒体１の記録面上に所定の画像を記録する為の記録ヘッド３と、記録ヘッド３によって画像が記録形成された後の記録媒体１に対し定着処理を施す為の定着手段４とにより構成されている。